(57)【特許請求の範囲】
【請求項１】
渦巻状に巻いたリッツ線の巻線間を融着固化して円盤体に形成し、絶縁物のコイルベースに支持させる電磁調理器の加熱コイルにおいて、
前記加熱コイルの巻き始めの引出し線を前記円盤体の中心側から外周側に導く案内部と、この案内部の外周側端部から突出し、前記加熱コイルの巻き始め及び巻き終わりの引出し線が巻き付けられる線留め部とからなる引出し線ホルダを前記コイルベースと別体として設け、この引出し線ホルダの前記線留め部に前記加熱コイルの巻き始め及び巻き終わりの引出し線を巻き留めた上で、前記案内部を前記コイルベースに嵌め付けることにより前記引出し線ホルダを前記コイルベースに保持させたことを特徴とする電磁調理器の加熱コイル。
【発明の詳細な説明】
【０００１】
【発明の属する技術分野】
この発明は、電磁誘導作用により鍋底を発熱させ、鍋の中の食品を調理する電磁調理器に関し、特にその渦巻形加熱コイルに関する。
【０００２】
【従来の技術】
上記加熱コイルは、一般にリッツ線が中空の渦巻状に巻かれた後、巻線間が融着固化されて円盤体に形成され、絶縁物（耐熱樹脂）からなるコイルベースに支持されている。コイル巻線の巻き始め及び巻き終わりの引出し線は、コイルベースに固定保持されるが、この固定には紐で縛ったり、接着剤で固着したりする手段が採用されている。しかし、このような手段は手間がかかる上、耐熱性の紐や接着剤は材料コストが高い。そこで、コイルベースに一体に突出部を設け、この突出部に引出し線を巻き付けて留めるようにしたものがある（特開平７−５７８６４号参照）。
【０００３】
【発明が解決しようとする課題】
ところで、すでに述べたように、加熱コイルはリッツ線を渦巻状に巻いた後、巻線間を融着固化して巻線が解けないようにしているが、その場合、線材にはエナメル線などの素線の表面に融着材が予め施された融着層付きのものを用い、巻線はそのまま恒温槽に入れて融着固化させている。従って、この融着処理の後では引出し線は固くなり、巻き付けることが困難になる。そのため、引出し線をコイルベースの突出部に巻き付けて固定する加熱コイルにおいては、従来は加熱コイルを単体で巻線・固化することができず、コイルベース自体を巻き枠としてリッツ線を巻線し、その引出し線をコイルベース突出部に巻き付けた上で、これら全体を恒温槽に入れて融着固化するという工程を採用していた。しかし、このような工程は、コイルベースに直に巻線しなければならないため作業性が悪く、生産性が低いという問題があった。
そこで、この発明の課題は、引出し線を巻き付けて簡易に留める構造を採用しながら、加熱コイル単体での巻線・固化を可能として、生産性の向上を図ることにある。
【０００４】
【課題を解決するための手段】
上記課題を解決するために、この発明は、渦巻状に巻いたリッツ線の巻線間を融着固化して円盤体に形成し、絶縁物のコイルベースに支持させる電磁調理器の加熱コイルにおいて、前記加熱コイルの巻き始めの引出し線を前記円盤体の中心側から外周側に導く案内部と、この案内部の外周側端部から突出し、前記加熱コイルの巻き始め及び巻き終わりの引出し線が巻き付けられる線留め部とからなる引出し線ホルダを前記コイルベースと別体として設け、この引出し線ホルダの前記線留め部に前記加熱コイルの巻き始め及び巻き終わりの引出し線を巻き留めた上で、前記案内部を前記コイルベースに嵌め付けることにより前記引出し線ホルダを前記コイルベースに保持させものとする(請求項１)。この請求項１によれば、引出し線を巻き付ける引出し線ホルダはコイルベースと別体であるため、加熱コイルは単体で巻線するとともに、その引出し線を引出し線ホルダに巻き付けてから融着・固化処理を行い、これをコイルベースに組み合わせて一体化することができる。
【０００５】
【発明の実施の形態】
以下、図１〜図６に基づいて、この発明の実施の形態を説明する。図１は加熱コイルを示し、図１（Ａ）は上面図、図１（Ｂ）は側面図、図１（Ｃ）は裏面図である。図１において、加熱コイル１は、融着層付きのリッツ線が渦巻状に巻かれて中空の円盤体に形成され、巻き始め及び巻き終わりの引出し線１ａ及び１ｂは引出し線ホルダ２に巻き付けられて留められた上で、図示しない恒温槽内で加熱され（例えば、160℃，20分）、巻線間が融着固化されて図示形状を保っている。
【０００６】
図２は引出し線ホルダ２の拡大図で、（Ａ）は上面図、（Ｂ）側面図、（Ｃ）は裏面図である。耐熱樹脂から成形された引出し線ホルダ２は、加熱コイル１の円盤体の中心側に位置する中心側端部から、同じく外周側に突出する外周側端部までテーパ状に幅が広くなる案内部２ａと、その外周側端部の左右に突出する一対の線留め部２ｂとからなるＴ字状に形成されている。案内部２ａの裏面側には、巻き始めの引出し線１ａを案内する案内溝２ｃが形成され、またその底部の中心側及び外周側には切欠２ｄ及び２ｅが設けられている。
【０００７】
引出し線ホルダ２は、図１に示すように、加熱コイル１の円盤体裏面に沿って半径方向に配置され、切欠２ｄ及び案内溝２ｃ(図２)を介して巻き始めの引出し線１ａを円盤体中心側から外周側に導く。この引出し線１ａは切欠２ｅを介して一方の線留め部２ｂに２巻きされている。また、巻き終わりの引出し線１ｂは、他方の線留め部１ｂに１巻きされている。各引出し線１ａ，１ｂの先端には、それぞれ圧着端子３が取り付けられている。
【０００８】
図３は加熱コイル１を支持するコイルベースの上面図、図４は図３のＰ部の斜視図、図５は加熱コイル１を支持したコイルベースの図３のＶ−Ｖ線に沿う縦断面図である。図３において、耐熱樹脂からなるコイルベース４は、円筒状のハブ４ａ、環状の枠体４ｂ及びそれらの間をつなぐ放射状のスポーク１ｃからなり、枠体４ｂ及びスポーク４ｃはＨ形断面に形成されている。枠体４ｂの３箇所には、取付脚４ｄが設けられている。また、ハブ４ａの中心に、十字状のスポークを介して、図示しない温度センサを保持するセンサ保持部４ｅが設けられている。
【０００９】
図５に示すように、加熱コイル１は中空穴１ｃ（図１）を介して、ハブ４ａに嵌合され、コイルベース４の上面に載置支持される。なお、５は加熱コイル１の磁束漏れを防ぐフェライトコアで、コイルベース４のスポーク４ｃ内に予め装着されている。その際、引出し線ホルダ２の中心側はコイルベース４のリブ４ｆ（図３）で支承され、外周側は枠体４ｂで支承されるが、図４に示すように、枠体４ｂの支承部には凹部４ｇが切り欠き形成され、引出し線ホルダ２は案内部２ａが凹部４ｇに嵌め込まれて左右方向に位置決めされるとともに、凹部４ｇ内の一部に切り残された突片４ｈに案内部２ａに形成された凹部２ｆ（図３，図４）が噛み合って、前後方向に位置決めされる。コイルベース４上の加熱コイル１は、コイルベース４に掛け留めされる図示しないコイル押えにより押圧保持される。
【００１０】
最後に、図６に基づいて、回転式の巻線治具を用いた加熱コイル１の巻線方法を説明する。図６において、巻線治具６は、垂直軸の回りに回転する回転台７、その上に積み重ねられる１段又は複数段の巻枠８及び最上段に重ねられる押え板９からなっている。回転台７は手動又はモータ駆動により容易に回転するように、図示しない軸受に支持されている。回転台７の中心にはガイドロッド１０が垂直に立ち上げられ、その上端部にねじが切られている。また、回転台７の上面には、中心を挟んで一対の円柱ピン７ａが固着されている。
【００１１】
巻枠８は中心にガイドロッド１１と嵌合する貫通穴があけられ、それを囲んで巻胴８ａが段差状に設けられている。巻胴８ａの高さ及び外径は、加熱コイル１の中空穴１ｃ及びリッツ線の線径に見合う大きさに設定されている。巻胴８ａの上面には円柱ピン７ａに相当する円柱ピン８ｂが固着され、図示しないが巻枠８の裏面には、回転台７の円柱ピン７ａ又は下段の巻枠８の円柱ピン８ｂを嵌合させる円柱凹部が設けられている。
【００１２】
更に、巻枠８の上面には、引出し線ホルダ２を収納する凹部８ｃが形成されている。押え板９は巻枠８と同径の円板で、中心にガイドロッド１０と嵌合する貫通穴があけられ、またそれを挟んで巻枠８の円柱ピン８ｂを嵌合させる一対の穴９ａがあけられている。
【００１３】
このような治具６は、巻線作業に先だって回転台７上に巻枠８を積み重ね、最後に押え板９を重ねて、ガイドロッド１０にナット１１をねじ込み、締め付け固定する。その際、回転台７及び巻枠８の円柱ピン７ａ及び８ｂを巻枠裏面の円柱凹部に順次嵌合させ、また最上段の巻枠８の円柱ピン８ｂを押え板９の穴９ａに嵌合させて全体を一体的に連結する。この治具６を用いて加熱コイル１を巻線するには、まずリッツ線の一端を巻き始めの引出し線１ａとして引出し線ホルダ２の一方の線留め部２ｂに巻き付け、次いで案内部２ａの案内溝２ｃに通して切欠２ｄから引き出す。
【００１４】
そして、この引出し線ホルダ２を最下段の巻枠８の凹部８ｃに嵌め込み、引き出したリッツ線を巻胴８ａに巻き掛け、これを引っ張りながら治具６を矢印方向に回転させ、渦巻状に巻線する。所定回数の巻線が終わったら、リッツ線の終端を巻き終わりの引出し線１ｂとしてもう一方の線留め部２ｂに巻き付ける。次いで、この線をそのまま２段目の巻枠８まで伸ばし、同様の作業を繰り返す。全段の巻線が終了したらリッツ線を切断し、巻線状態の治具６をそのまま恒温槽に入れて巻線の融着固化を行う。固化が終了したら、引出し線同士を切り離し、治具６を分解して加熱コイル１を１個ずつ取り出す。図１及び図２は、このようにして製作された加熱コイル１を示している。なお、図示実施の形態で示した引出し線ホルダ２の形状や保持構造、巻線治具６は一例を示すものであり、この発明はこれらの形状や構造に限定されるものではない。
【００１５】
【発明の効果】
以上の通り、この発明によれば、加熱コイルの引出し線をコイルベースと別体の引出し線ホルダに巻き付けて留め、この引出し線ホルダをコイルベースに保持させるようにしたので、加熱コイル単体で専用の治具を用いて迅速に巻線を行うことができ、加熱コイルの生産性を著しく高めることができる。
【図面の簡単な説明】
【図１】  この発明の実施の形態の加熱コイルを示し、（Ａ）は上面図、（Ｂ）は側面図、（Ｃ）は裏面図である。
【図２】  図１における引出し線ホルダを示し、（Ａ）は上面図、（Ｂ）は側面図、（Ｃ）は裏面図である。
【図３】  コイルベースの平面図である。
【図４】  図３のＰ部斜視図である。
【図５】  図３のコイルベースに図１の加熱コイルを支持させた状態の縦断面図である。
【図６】  図１の加熱コイルを巻線する治具の斜視図である。
【符号の説明】
１    加熱コイル
１ａ  巻き始めの引出し線
１ｂ  巻き終わりの引出し線
２    引出し線ホルダ
２ａ  案内部
２ｂ  線留め部
４    コイルベース
５    フェライトコア
６    巻線治具
【図１】
0004411764.tif 000002
【図２】
0004411764.tif 000003
【図３】
0004411764.tif 000004
【図４】
0004411764.tif 000005
【図５】
0004411764.tif 000006
【図６】
0004411764.tif 000007